(57)【特許請求の範囲】
【請求項１】
吸収体と該吸収体の肌対向面側に配された表面シートとを具備し、着用者の腹側から股間部を介して背側に延びる縦方向とこれに直交する横方向とを有する吸収性物品であって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、且つ該吸収体を縦方向に三等分した場合に、その中央に位置して着用時に着用者の股間部に配される股下部と、該股下部よりも着用者の腹側に配される腹側部と、該股下部よりも着用者の背側に配される背側部とに区分され、
前記吸収性コアに、該吸収性コアを厚み方向に貫通する非積繊部が形成されており、該非積繊部は、前記股下部を縦方向に二等分した場合の前記腹側部寄りの領域に、縦方向前端を有し、該縦方向前端から前記縦方向に延びており、
前記非積繊部において前記肌側コアラップシートと前記非肌側コアラップシートとが接合しており、
前記吸収体における前記非積繊部の横方向周辺部に、前記肌側コアラップシート又は前記非肌側コアラップシートと前記吸収性コアとが一体的に圧密されてなる窪み部が形成されている吸収性物品。
【請求項２】
前記非積繊部の横方向の長さは、前記吸収性コアの横方向の長さの最小値の１５％以上５０％以下である請求項１に記載の吸収性物品。
【請求項３】
前記非積繊部において前記表面シートと前記肌側コアラップシートとが接合しており、該非積繊部における該肌側コアラップシートと前記非肌側コアラップシートとの接合力は、該非積繊部における前記表面シートと該肌側コアラップシートとの接合力よりも大きい請求項１又は２に記載の吸収性物品。
【請求項４】
前記非積繊部の横方向の長さは、肌対向面側の方が非肌対向面側よりも長い請求項１〜３の何れか一項に記載の吸収性物品。
【発明の詳細な説明】
【技術分野】
【０００１】
本発明は、使い捨ておむつ等の吸収性物品に関する。
【背景技術】
【０００２】
吸収性物品の典型的な形態としては、液透過性の表面シート、液不透過性の裏面シート及び両シート間に配置された縦長の吸収体を具備するものが挙げられる。また、吸収体としては、木材パルプや吸水性ポリマーを含む液保持性の吸収性コアと、該吸収性コアを被覆する透水性のコアラップシートとを含んで構成されているものが知られている。コアラップシートは、吸収体の製造時には吸水性ポリマー等の吸収性コア形成材料を受けるためのシートとして働き、製造後には吸収性コアを包んで形状化する役割などを果たす。
【０００３】
また従来、吸収性物品において尿等の排泄液の拡散性を向上させる等の目的で、吸収性コアに該吸収性コアを厚み方向に貫通する開口部を形成することが行われている。例えば特許文献１には、上層及び下層の２層構造の吸収性コアを具備する吸収性物品において、その下層吸収性コアにおける着用時に着用者の排泄部に対向し得る位置に、開口部を横方向の中心線に対し略対称に２つ形成することが記載されている。また特許文献２には、開口部が形成された吸収体の非肌対向面側に、該開口部を含む領域を覆うように、該吸収体よりも液透過性の高い拡散シートを配置し、該吸収体の肌対向面側に配置された表面シートと該拡散シートとを、該開口部における該吸収体の非肌対向面側の開口端部にて接合することが記載されている。
【先行技術文献】
【特許文献】
【０００４】
【特許文献１】特開２０１２−４０２６０号公報
【特許文献２】特開２００８−２８４１９０号公報
【発明の概要】
【発明が解決しようとする課題】
【０００５】
吸収体においては通常、吸収性コアとこれを被覆するコアラップシートとは接着剤で互いに接合されて吸収体の保形性を維持しているが、吸収性物品の着用中において吸収性コアが尿等の排泄液を吸収した場合、その接合部に液が浸入することによって接合力が低下し、それによって吸収性コアがコアラップシートに対して滑りやすい状態が生じる場合がある。そのような状態において、着用者の脚の動きによって吸収性コアの一部に亀裂が入ると、液吸収により該吸収性コアの重量が増していることもあって、その亀裂部で該吸収性コアが分断されて、該亀裂部よりも着用者の股下寄りに位置する部分、即ち着用時に該亀裂部よりも下方に位置する部分が自重により股下にずり落ち、吸収体の壊れが発生する。特許文献１及び２には、このような吸収性物品の着用中における吸収体の保形性の低下を効果的に抑制し得る技術は開示されていない。
【０００６】
従って本発明は、吸収体の保形性に優れ、着用中に吸収体が壊れにくい吸収性物品に関する。
【課題を解決するための手段】
【０００７】
本発明は、吸収体と該吸収体の肌対向面側に配された表面シートとを具備し、着用者の腹側から股間部を介して背側に延びる縦方向とこれに直交する横方向とを有する吸収性物品であって、前記吸収体は、液保持性の吸収性コアと、該吸収性コアの肌対向面を被覆する肌側コアラップシートと、該吸収性コアの非肌対向面を被覆する非肌側コアラップシートとを含んで構成され、且つ該吸収体を縦方向に三等分した場合に、その中央に位置して着用時に着用者の股間部に配される股下部と、該股下部よりも着用者の腹側に配される腹側部と、該股下部よりも着用者の背側に配される背側部とに区分され、前記吸収性コアに、該吸収性コアを厚み方向に貫通する非積繊部が形成されており、該非積繊部は、前記股下部を縦方向に二等分した場合の前記腹側部寄りの領域に、縦方向前端を有し、該縦方向前端から前記縦方向に延びており、前記非積繊部において前記肌側コアラップシートと前記非肌側コアラップシートとが接合しており、前記吸収体における前記非積繊部の横方向周辺部に、前記肌側コアラップシート又は前記非肌側コアラップシートと前記吸収性コアとが一体的に圧密されてなる窪み部が形成されている吸収性物品を提供するものである。
【発明の効果】
【０００８】
本発明によれば、吸収体の保形性に優れ、着用中に吸収体が壊れにくい吸収性物品が提供される。
【図面の簡単な説明】
【０００９】
【図１】図１は、本発明の吸収性物品の一実施形態としての使い捨ておむつを各部の弾性部材を伸張させて平面状に拡げた展開状態を示す表面シート側、即ち肌対向面側の一部破断平面図である。
【図２】図２は、図１のＩ−Ｉ線断面の模式的な断面図である。
【図３】図３は、図１に示すおむつに配されている吸収体、即ち吸収性コア及びコアラップシートの肌対向面を模式的に示す平面図である。
【図４】図４は、本発明の吸収性物品の他の実施形態の図２相当図である。
【発明を実施するための形態】
【００１０】
以下、本発明の吸収性物品について、その好ましい一実施形態である使い捨ておむつに基づき図面を参照しながら説明する。図１及び図２には、本実施形態の使い捨ておむつ１が示されている。おむつ１は、着用時に着用者の腹側に配される腹側部１Ｆ及び背側に配される背側部１Ｒとそれらの間に位置する股下部１Ｍとを有すると共に、腹側部１Ｆから股下部１Ｍを介して背側部１Ｒに延びる縦方向Ｘとこれに直交する横方向Ｙとを有する。
【００１１】
おむつ１は、いわゆる展開型の使い捨ておむつであり、図１及び図２に示すように、液保持性の吸収体４と、該吸収体４の肌対向面側に配され、着用時に着用者の肌と接触し得る液透過性の表面シート２と、該吸収体４の非肌対向面側に配された液不透過性ないし撥水性の裏面シート３とを具備している。吸収体４は、両シート２，３間に介在配置されており、図１に示す如き平面視において縦方向Ｘに長い形状をしており縦長である。
【００１２】
本明細書において、「肌対向面」は、吸収性物品又はその構成部材（例えば吸収体４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１３】
表面シート２及び裏面シート３は、それぞれ、吸収体４又は吸収性コア４０よりも大きな寸法を有し、吸収体４の周縁から外方に延出している。裏面シート３は、図１に示す如き展開且つ伸張状態のおむつ１の外形を形成している。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面、即ち外表面側に外装シートを積層配置した形態とがあり、該外装シートは例えば不織布である。
【００１４】
おむつ１は、股下部１Ｍを含む縦方向Ｘの中央部における、縦方向Ｘに沿う両側縁が内向きの円弧状に湾曲しており、図１に示す如き平面視において、縦方向Ｘの中央部が内方に括れた砂時計状をなしている。股下部１Ｍは、着用時に着用者の排泄部に対向配置される図示しない排泄部対向部を含んでいる。排泄部対向部は通常、おむつ１の縦方向Ｘの中央、即ちおむつ１を縦方向Ｘに二分する仮想中心線よりもやや背側部１Ｒ寄りに偏倚した位置にある。
【００１５】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０とコアラップシート４１，４２との間は、ホットメルト型接着剤等の公知の接合手段により接合されている。吸収性コア４０は単層構造であり、図１に示す如き平面視において、縦方向Ｘの中央部、即ち後述する吸収体股下部４Ｍが内方に括れた砂時計状をなし、縦方向Ｘに長い形状を有している。吸収性コア４０としては、例えば、木材パルプ、親水化剤により処理された合繊繊維等の親水性繊維からなる繊維集合体、又は該繊維集合体に吸水性ポリマー粒子を保持させたもの等を用いることができる。コアラップシート４１，４２としては、例えば、紙、不織布等を用いることができる。不織布の例示として、親水化処理が施された繊維からなる親水性不織布が挙げられる。濡れたときの接着強度の観点から不織布を用いることが好ましい。      
【００１６】
吸収性コア４０の無荷重下における厚みは、特に制限されないが、好ましくは２．０ｍｍ以上、さらに好ましくは３．０ｍｍ以上、そして、好ましくは１５ｍｍ以下、さらに好ましくは１０ｍｍ以下、より具体的には、好ましくは２．０ｍｍ以上１５ｍｍ以下、さらに好ましくは３．０ｍｍ以上１０ｍｍ以下である。
吸収性コア４０の坪量は、好ましくは１００ｇ／ｍ2以上、さらに好ましくは３００ｇ／ｍ2以上、そして、好ましくは１０００ｇ／ｍ2以下、さらに好ましくは６００ｇ／ｍ2以下、より具体的には、好ましくは１００ｇ／ｍ2以上１０００ｇ／ｍ2以下、さらに好ましくは３００ｇ／ｍ2以上６００ｇ／ｍ2以下である。
【００１７】
肌側コアラップシート４１と非肌側コアラップシート４２とは、１）１枚の連続したシートであっても良く、２）それぞれ別体のシートであっても良い。前記１）の場合は例えば、吸収性コア４０の横方向Ｙの長さの２倍以上３倍以下の幅を有する１枚の連続したコアラップシートを用いることができる。この１枚のコアラップシートは例えば、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆していても良い。その場合、この１枚のコアラップシートにおいて、吸収性コア４０の肌対向面を被覆する部分が肌側コアラップシート４１、吸収性コア４０の非肌対向面を被覆する部分が非肌側コアラップシート４２である。
【００１８】
前記２）の場合は、肌側コアラップシート４１と非肌側コアラップシート４２とで、幅方向Ｙの長さ、即ち幅は同じでも良く、異なっていても良い。両シート４１，４２で幅が異なる場合は、どちらが長くても良い。例えば、肌側コアラップシート４１は、吸収性コア４０の肌対向面の最大幅と同じ幅を有する、即ち吸収性コア４０の肌対向面の全域を被覆可能な大きさを有するものとし、非肌側コアラップシート４２は、該シート４１よりも幅広にすることができる。その幅広の非肌側コアラップシート４２は、吸収性コア４０の非肌対向面の全域を被覆し、且つ吸収性コア４０の縦方向Ｘに沿う両側縁から幅方向Ｙの外方に延出し、その延出部が、吸収性コア４０の肌対向面に対向配置された肌側コアラップシート４１上に巻き上げられ、該シート４１の縦方向Ｘに沿う両側縁部を被覆していても良い。
【００１９】
腹側部１Ｆ及び背側部１Ｒそれぞれのウエスト部、即ち縦方向Ｘの端部における表面シート２と裏面シート３との間には、糸状の弾性部材３１が横方向Ｙに沿って伸長状態で固定されており、これにより、おむつ１の着用時における該ウエスト部には、弾性部材３１の収縮によりウエストギャザーが形成される。また、着用者の脚周りに配される左右のレッグ部における表面シート２と裏面シート３との間には、糸状の弾性部材３２が縦方向Ｘに沿って伸長状態で固定されており、これにより、おむつ１の着用時におけるレッグ部には、弾性部材３２の収縮により一対のレッグギャザーが形成される。また、おむつ１の表面シート２側における縦方向Ｘに沿う左右両側には、それぞれサイドシート３４が配されている。サイドシート３４の内側縁部には、糸状の弾性部材３３が縦方向Ｘに沿って伸長状態で固定されており、これにより、おむつ１の着用時には弾性部材３３の収縮により少なくとも股下部１Ｍに立体ギャザーが形成される。表面シート２、裏面シート３、吸収体４、各弾性部材３１，３２，３３及びサイドシート３４は、ホットメルト型接着剤等の公知の接合手段により互いに接合されている。
【００２０】
図１に示すように、おむつ１の背側部１Ｒの縦方向Ｘに沿う両側縁部には、一対のファスニングテープ３５，３５が設けられている。ファスニングテープ３５には、機械的面ファスナーのオス部材からなる図示しない止着部が取り付けられている。また、おむつ１の腹側部１Ｆの非肌対向面には、機械的面ファスナーのメス部材からなる被止着領域３６が形成されている。被止着領域３６は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ３５の前記止着部を着脱自在に止着可能になされている。
【００２１】
図３には、吸収体４の肌対向面、即ち表面シート２との対向面が拡大して示されている。吸収体４は、該吸収体４を縦方向Ｘに三等分した場合に、その中央に位置して着用時に着用者の股間部に配される吸収体股下部４Ｍと、該吸収体股下部４Ｍよりも着用者の腹側に配される吸収体腹側部４Ｆと、該吸収体股下部４Ｍよりも着用者の背側に配される吸収体背側部４Ｒとに区分される。吸収体４とこれを構成する吸収性コア４０とは縦方向Ｘの長さが同じである。吸収体股下部４Ｍはおむつ１の股下部１Ｍに、吸収体腹側部４Ｆはおむつ１の腹側部１Ｆに、吸収体背側部４Ｒはおむつ１の背側部１Ｒにそれぞれ位置する。但し、おむつ１及び吸収体４の寸法等によっては、吸収体腹側部４Ｆ及び／又は吸収体背側部４Ｒの一部が股下部１Ｍに位置する場合、吸収体股下部４Ｍの一部が腹側部１Ｆ及び／又は背側部１Ｒに位置する場合があり得る。吸収体股下部４Ｍは少なくとも股下部１Ｍの縦方向Ｘの中央部に位置する。
【００２２】
吸収性コア４０には、該吸収性コア４０を厚み方向に貫通する非積繊部５が形成されている。非積繊部５は、吸収体股下部４Ｍを縦方向Ｘに二等分した場合の吸収体腹側部４Ｆ寄りの領域、即ち図３中符号４−３を付した領域に縦方向前端５ｆを有し、該縦方向前端５ｆから吸収体背側部４Ｒに向かって縦方向Ｘに延びている。図３では、吸収体腹側部４Ｆ、吸収体股下部４Ｍ及び吸収体背側部４Ｒをそれぞれ縦方向Ｘに二等分した場合に生じる合計６つの領域に、腹側から背側に向かって順に４−１〜４−６の符号を付している。縦方向前端５ｆと反対側に位置する非積繊部５の縦方向後端５ｒは、吸収体背側部４Ｒにおける吸収体股下部４Ｍ寄りの領域４−５に位置している。非積繊部５の縦方向前端５ｆは、おむつ１の腹側部１Ｆ側の縦方向Ｘの端部、即ち腹側部１Ｆのウエスト部から相対的に近い縦方向端部であり、非積繊部５の縦方向後端５ｒは、腹側部１Ｆのウエスト部から相対的に遠い縦方向端部、換言すれば、背側部１Ｒのウエスト部から相対的に近い縦方向端部である。つまり、非積繊部５の縦方向前端５ｆは「腹側ウエスト部寄り端部５ｆ」であり、縦方向後端５ｒは「背側ウエスト部寄り端部５ｒ」である。
【００２３】
本実施形態における非積繊部５は、平面視において矩形形状をなし、その長手方向を縦方向Ｘに一致させて吸収体４又は吸収性コア４０の横方向Ｙの中央に１本形成されている。図３に示すように吸収性コア４０の肌対向面において、非積繊部５の横方向Ｙの長さ、即ち幅はその縦方向Ｘの全長に亘って一定であり、また図示していないが、吸収性コア４０の非肌対向面においても、非積繊部５の横方向Ｙの幅はその縦方向Ｘの全長に亘って一定である。
【００２４】
非積繊部５は、吸収性コア４０の製造時における、吸収性コア４０の形成材料、例えば木材パルプ等の繊維材料、吸水性ポリマーの粒子等の堆積工程において、吸収性コア４０の形成材料の堆積を意図的に阻害して形成された部位である。非積繊部５を有する吸収性コア４０は、従来公知の吸収性コアの製造方法に従って製造することができ、例えば、空気流に乗せて供給した吸収性コア４０の形成材料を、回転ドラムの外周面に形成された成形型上に吸引して堆積させて吸収性コア４０を得る方法において、該成形型として所定パターンの成形型、例えば非積繊部５に対応する部位が周辺部に比して上方に突出している成形型を用いることで製造することができる。斯かる方法で得られた吸収性コア４０において、形成材料が存在していない部分が非積繊部５である。尚、非積繊部５を有する吸収性コア４０の他の製造方法として、非積繊部を有していない吸収性コアを製造し、該吸収性コアの所定部位に型抜き加工や切削加工等の後加工を施して非積繊部を形成する方法を採用することもできる。
【００２５】
図２に示すように、非積繊部５においては肌側コアラップシート４１と非肌側コアラップシート４２とが接合している。本実施形態においては、両シート４１，４２の接合部は、吸収体４の厚み方向の中央部に位置し、両シート４１，４２はそれぞれ非積繊部５の形成位置にて凹状に窪んでいる。また本実施形態においては、両シート４１，４２の接合部は、非積繊部５の縦方向Ｘのほぼ全長に亘って連続している。ここで、「ほぼ全長」とは、完全な全長の９０％以上であることをいう。
【００２６】
非積繊部５における両シート４１，４２の接合部は、例えば次のようにして形成することができる。即ち、両シート４１，４２の少なくとも一方における非積繊部５の対応位置に予めホットメルト型接着剤等の接着剤を塗布しておき、吸収性コア４０を両シート４１，４２で被覆して吸収体４を得た後、吸収体４の非積繊部５を肌対向面側及び非肌対向面側から同時に押圧処理することにより、非積繊部５において両シート４１，４２を接合させることができる。この非積繊部５の押圧処理は、熱を伴うか若しくは伴わないエンボス又は超音波エンボス等の公知のエンボス加工を採用できる。非積繊部５の押圧処理として、例えば熱を伴うエンボス加工の如き加熱加圧処理を採用した場合、両シート４１，４２は互いに加熱圧着されるため、接着剤による接着力と相俟って両シート４１，４２どうしは強固に接合し得る。
【００２７】
図１及び図３に示すように、吸収体４における非積繊部５の横方向Ｙの周辺部には、肌側コアラップシート４１及び非肌側コアラップシート４２と吸収性コア４０とが一体的に圧密されてなる窪み部６が形成されている。尚、窪み部６については、肌側コアラップシート４１に形成されているものしか図示していないが、非肌側コアラップシート４２に形成されている窪み部６も、肌側コアラップシート４１におけるものと同じパターンで形成されている。窪み部６は、公知の熱を伴うエンボス加工によって形成することができる。本実施形態においては、肌側コアラップシート４１側及び非肌側コアラップシート４２側それぞれから吸収性コア４０側に向かってエンボス加工が施され、それによって吸収体４の肌対向面及び非肌対向面それぞれに窪み部６が形成されている。吸収体４の肌対向面側の各窪み部６においては、肌側コアラップシート４１と吸収性コア４０とが一体的に凹陥されて両者４１，４０が一体化しており、吸収体４の非肌対向面側の図示しない各窪み部においては、非肌側コアラップシート４２と吸収性コア４０とが一体的に凹陥されて両者４２，４０が一体化している。
【００２８】
本実施形態においては、窪み部６は平面視において点状、より具体的には円形状をなし、非積繊部５の横方向Ｙの周辺部に複数が離散的なパターンで形成されている。本発明において、「非積繊部の横方向周辺部」は、非積繊部５の縦方向Ｘに沿う側縁５ｓと縦方向Ｘにおいて同位置にある部分で、且つ側縁５ｓから横方向Ｙの外方に２０ｍｍ以内の領域を意味する。非積繊部５の両側縁５ｓ，５ｓの周辺部においては、それぞれ、複数の窪み部６が非積繊部５に沿って縦方向Ｘに間欠的に形成されて、縦方向Ｘに延びる窪み部列が形成され、該窪み部列が横方向Ｙに多列（本実施形態では２列）に形成されて、エンボス領域６０が形成されている。非積繊部５を挟んで一方側と他方側とは、窪み部６が対称的に形成されている。このように、窪み部６は非積繊部５の横方向Ｙの周辺部に形成されているが、非積繊部５の縦方向Ｘの周辺部には形成されていない。但し、非積繊部５の縦方向Ｘの周辺部に窪み部６が形成されていても構わない。本発明において、「非積繊部の縦方向周辺部」は、非積繊部５の横方向Ｙに沿う両端縁である前端５ｆ及び後端５ｒそれぞれと横方向Ｙにおいて同位置にある部分で、且つ両端５ｆ，５ｒそれぞれから縦方向Ｘの外方に２０ｍｍ以内の領域を意味する。以上の定義から明らかなように、「非積繊部の横方向周辺部」と「非積繊部の縦方向周辺部」とは互いに重複しない。
【００２９】
前述の如き構成を有する本実施形態のおむつ１は、吸収体４の保形性に優れ、着用中に吸収体４が壊れにくいという特徴を有している。斯かる特徴を発現するために特に重要な要素は、ｉ）非積繊部５の位置、並びにｉｉ）非積繊部５及びその周辺部における吸収体構成部材即ち吸収性コア４０及びコアラップシート４１，４２の接合である。
【００３０】
本発明者らの知見によれば、図３に示す如く、吸収体４又は吸収性コア４０を縦方向Ｘに６等分して領域４−１〜４−６に区分した場合、おむつ１の着用中において吸収体４又は吸収性コア４０で最も壊れやすい部位は、吸収体腹側部４Ｆにおける吸収体股下部４Ｍ寄りの領域４−２であり、次いで壊れやすい部位は、吸収体股下部４Ｍにおける吸収体腹側部４Ｆ寄りの領域４−３である。領域４−２及び４−３は、おむつ１の着用中に着用者の脚の動きの影響を受けやすい部位であり、着用中に負荷がかかりやすい部位である。特に領域４−２は、着用者の脚の動きによって亀裂が入りやすく、領域４−２で吸収体４又は吸収性コア４０が分断されるケースが少なくない。領域４−２で吸収体４又は吸収性コア４０が分断されると、その一部が自重によって股下にずり落ち、吸収体の壊れが発生する。特に吸収性コア４０が液を吸収した後は、吸収体４本来の重さに吸収した液の重さが加わるため、分断によって生じた吸収体４の一部が股下へずり落ちやすく、吸収体の壊れが発生しやすい。
【００３１】
これに対し、前述したように、吸収体４の吸収体股下部４Ｍにおける吸収体腹側部４Ｆ寄りの領域４−３に縦方向前端５ｆを有し、そこから吸収体背側部４Ｒに向かって縦方向Ｘに延びるように、非積繊部５を形成し、且つ非積繊部５において肌側コアラップシート４１と非肌側コアラップシート４２とを接合することにより、仮に、おむつ１の着用中に領域４−２や４−３に亀裂が入って吸収体４又は吸収性コア４０が分断されても、その後の吸収体４又は吸収性コア４０の形状の崩れや股下へのずり落ちは、非積繊部５における両シート４１，４２の接合部及びその周辺部によって効果的に抑制されるため、おむつ１の着用中における吸収体４の保形性が向上する。従っておむつ１は、吸収体４が本来有する吸収性能を長期に亘って安定的に発現させることができ、非積繊部５による液拡散作用もあって、液吸収性に優れる。
【００３２】
また、吸収性コア４０は尿等の排泄液を吸収すると膨潤するところ、その吸収性コア４０の膨潤によって、非積繊部５における肌側コアラップシート４１と非肌側コアラップシート４２との接合部が破壊されて両シート４１，４２が剥離してしまうことが懸念されるが、本実施形態においては、前述したように非積繊部５の横方向Ｙの周辺部には、両シート４１，４２それぞれの側からエンボス加工が施されることによって窪み部６が形成されているため、窪み部６によって両シート４１，４２が剥離し難くなっていると共に、少なくとも非積繊部５の周辺部においては吸収性コア４０の液吸収による膨潤が効果的に抑制されているので、そのような懸念は払拭されている。
【００３３】
また例えば、非積繊部５の横方向Ｙの周辺部の窪み部が該周辺部の全域に亘って連続している場合には、吸収性コア４０の液吸収による膨潤が必要以上に阻害されて吸収性能等に悪影響を及ぼすおそれが懸念されるが、本実施形態においては、前述したように、非積繊部５の横方向Ｙの周辺部に複数の窪み部６を散点状に形成しており、各窪み部６は、非窪み部即ち非エンボス部によって包囲されているので、そのような懸念は払拭されている。
【００３４】
非積繊部５の横方向Ｙの長さ、即ち幅は、吸収性コア４０の横方向Ｙの長さ、即ち幅の最小値に対して、好ましくは１５％以上、さらに好ましくは２０％以上、そして、好ましくは５０％以下、さらに好ましくは３５％以下、より具体的には、好ましくは１５％以上５０％以下、さらに好ましくは２０％以上３５％以下である。吸収性コア４０の幅の最小値は、吸収性コア４０において幅が最も狭い部位の幅、即ち最小幅であり、本実施形態においては、図３に示す領域４−３に位置する部分の幅である。非積繊部５の幅が大きいほど、肌側コアラップシート４１と非肌側コアラップシート４２との接合部の幅も大きくなるため、吸収体４の保形性の向上の点で有利であるが、非積繊部５の幅が大きすぎると吸収性能の低下を招くおそれがある。非積繊部５の幅を吸収性コア４０の最小幅に対して前記範囲に調整することで、吸収体の保形性と吸収性能とのバランスが良好になる。
【００３５】
非積繊部５の幅は、好ましくは５ｍｍ以上、さらに好ましくは１０ｍｍ以上、そして、好ましくは４０ｍｍ以下、さらに好ましくは３０ｍｍ以下、より具体的には、好ましくは５ｍｍ以上４０ｍｍ以下、さらに好ましくは１０ｍｍ以上３０ｍｍ以下である。
また、非積繊部５の縦方向Ｘの長さは、吸収性コア４０の縦方向Ｘの長さに対して、好ましくは１０％以上、さらに好ましくは２０％以上、そして、好ましくは５０％以下、さらに好ましくは３５％以下、より具体的には、好ましくは１０％以上５０％以下、さらに好ましくは２０％以上３５％以下である。
【００３６】
尚、非積繊部５は、本実施形態においては図３に示すように１本のみであるが、横方向Ｙに並列して複数あってもよい。その場合、非積繊部５の幅は、複数の非積繊部それぞれの横方向Ｙの長さの総和とする。
【００３７】
本実施形態においては、図２に示すように、非積繊部５において表面シート２と肌側コアラップシート４１とが接着剤によって接合している。非積繊部５における両シート２，４１の接合は、接着剤によってなされている。非積繊部５における両シート２，４１の接合部は、例えば次のようにして形成することができる。即ち、両シート２，４１の少なくとも一方における非積繊部５の対応位置に予めホットメルト型接着剤等の接着剤を塗布しておき、吸収体４、より具体的にはシート４１の肌対向面を表面シート２で被覆した後、表面シート２における非積繊部５の対応位置を表面シート２側から押圧処理することにより、非積繊部５において両シート２，４１を接合させることができる。非積繊部５において両シート２，４１が接合していることによって、肌と接する面に溝が形成されることになるので、排尿時には尿が素早く縦方向に拡がりやすくさらっと感が向上するという効果が奏される。
【００３８】
尚、本実施形態においては、図２に示すように、非積繊部５において、表面シート２と肌側コアラップシート４１とが接合しているのみならず、裏面シート３と非肌側コアラップシート４２とも接着剤によって接合されている。非積繊部５における両シート３，４２の接合部は、前述したシート２，４１の接合部と同様の方法で形成することができる。
【００３９】
本実施形態においては、非積繊部５における表面シート２と肌側コアラップシート４１との接合力Ｈ１よりも、非積繊部５における肌側コアラップシート４１と非肌側コアラップシート４２との接合力Ｈ２の方が大きくなされている。非積繊部５において表面シート２と肌側コアラップシート４１とが接合していると、おむつ１の着用中において着用者の身体の動きに追従して吸収体４、特に非積繊部５にせん断力が作用した場合に、非積繊部５におけるコアラップシート４１，４２どうしの接合が破壊されるおそれがある。これに対し、前記のように接合力Ｈ１＜接合力Ｈ２とすることによって、相対的に低い接合力Ｈ１で互いに接合されている表面シート２と肌側コアラップシート４１との接合部の方が、コアラップシート４１，４２どうしの接合部よりも先に破壊されるようになるため、前述した作用効果を奏する上で重要な、「非積繊部５におけるコアラップシート４１，４２どうしの接合」が一層維持されやすくなる。
【００４０】
接合力Ｈ１と接合力Ｈ２との比である接合力Ｈ１／接合力Ｈ２は、好ましくは１．１以上、さらに好ましくは１．５以上、そして、好ましくは５．０以下、さらに好ましくは３．０以下、より具体的には、好ましくは１．１以上５．０以下、さらに好ましくは１．５以上３．０以下である。
非積繊部５における表面シート２と肌側コアラップシート４１との接合力Ｈ１は、好ましくは０．２Ｎ以上、さらに好ましくは１．０Ｎ以上、そして、好ましくは４．５Ｎ以下、さらに好ましくは３．５Ｎ以下、より具体的には、好ましくは０．２Ｎ以上４．５Ｎ以下、さらに好ましくは１．０Ｎ以上３．５Ｎ以下である。
非積繊部５における肌側コアラップシート４１と非肌側コアラップシート４２との接合力Ｈ２は、好ましくは０．５Ｎ以上、さらに好ましくは１．５Ｎ以上、そして、好ましくは５．０Ｎ以下、さらに好ましくは４．０Ｎ以下、より具体的には、好ましくは０．５Ｎ以上５．０Ｎ以下、さらに好ましくは１．５Ｎ以上４．０Ｎ以下である。
【００４１】
接合力Ｈ１，Ｈ２は次のようにして測定することができる。それぞれの接合部を含むように縦方向には２０ｍｍ、横方向には接合部の横方向端部から外側に向けてテンシロン引張試験器〔（株）オリエンテック社製〕のチャックに十分に挟むことができる長さで切り取り、横方向からその接合面を剥離するように表面シート２と肌側コアラップシート４１又は肌側コアラップシート４１と非肌側コアラップシート４２をチャックに挟み、引張速度３００ｍｍ／ｍｉｎでチャック間距離を拡げ、剥離時の最大点強度をそれぞれの接合力とした。
【００４２】
図４には、本発明の吸収性物品の他の実施形態が示されている。後述する他の実施形態については、前記実施形態の使い捨ておむつ１と異なる構成部分を主として説明し、同様の構成部分は同一の符号を付して説明を省略する。特に説明しない構成部分には、前記実施形態についての説明が適宜適用される。
【００４３】
前述したおむつ１においては、非積繊部５の横方向Ｙの長さ、即ち幅は、吸収体４の肌対向面側と非肌対向面側とで同じであったが、図４に示すおむつ１Ａにおいては、吸収体４の肌対向面側における非積繊部５の幅、即ち非積繊部５における吸収体４の肌対向面側の開口端部の幅Ｗ１の方が、非肌対向面側における非積繊部５の幅、即ち非積繊部５における吸収体４の非肌対向面側の開口端部の幅Ｗ２よりも長い。吸収体４の一般的な製造方法は、前述した方法によって製造した非積繊部５を有する吸収性コア４０を、コアラップシート４１，４２で被覆した後、非積繊部５において両シート４１，４２を接合させる工程を有しているところ、非積繊部５において両シート４１，４２を接合させる際に、吸収性コア４０中に含まれる吸水性ポリマー粒子が吸収性コア４０から脱落して両シート４１，４２の接合部に介在してしまい、両シート４１，４２の接合力が低下するおそれがある。これに対し、前記のように幅Ｗ１＞幅Ｗ２とすることによって、吸収体４の製造工程で吸水性ポリマー粒子の脱落が効果的に抑制され、両シート４１，４２の接合力の低下が防止される。
【００４４】
幅Ｗ１と幅Ｗ２との比である幅Ｗ１／幅Ｗ２は、好ましくは１．１以上、さらに好ましくは１．３以上、そして、好ましくは２．０以下、さらに好ましくは１．５以下、より具体的には、好ましくは１．１以上２．０以下、さらに好ましくは１．３以上１．５以下である。
吸収体４の肌対向面側における非積繊部５の幅Ｗ１は、好ましくは７ｍｍ以上、さらに好ましくは１２ｍｍ以上、そして、好ましくは４０ｍｍ以下、さらに好ましくは３０ｍｍ以下、より具体的には、好ましくは７ｍｍ以上４０ｍｍ以下、さらに好ましくは１２ｍｍ以上３０ｍｍ以下である。
吸収体４の非肌対向面側における非積繊部５の幅Ｗ２は、好ましくは５ｍｍ以上、さらに好ましくは１０ｍｍ以上、そして、好ましくは３５ｍｍ以下、さらに好ましくは２５ｍｍ以下、より具体的には、好ましくは５ｍｍ以上３５ｍｍ以下、さらに好ましくは１０ｍｍ以上２５ｍｍ以下である。
【００４５】
以上、本発明について説明したが、本発明は、前述した実施形態に制限されず適宜変更可能である。例えば前記実施形態では、窪み部６は、肌側コアラップシート４１及び非肌側コアラップシート４２の両方に形成されていたが、何れか一方のみに形成されていても良い。本発明の吸収性物品は、前記実施形態の如き展開型の使い捨ておむつに制限されず、人体から排出される体液（尿、経血、軟便、汗等）の吸収に用いられる物品を広く包含し、パンツ型の使い捨ておむつ、生理用ナプキン、生理用ショーツ等も包含される。前述した本発明の実施形態に関し、更に以下の付記を開示する。
【００４６】
＜１＞
吸収体と該吸収体の肌対向面側に配された表面シートとを具備し、着用者の腹側から股間部を介して背側に延びる縦方向とこれに直交する横方向とを有する吸収性物品であって、
前記吸収体は、液保持性の吸収性コアと、該吸収性コアの肌対向面を被覆する肌側コアラップシートと、該吸収性コアの非肌対向面を被覆する非肌側コアラップシートとを含んで構成され、且つ該吸収体を縦方向に三等分した場合に、その中央に位置して着用時に着用者の股間部に配される股下部と、該股下部よりも着用者の腹側に配される腹側部と、該股下部よりも着用者の背側に配される背側部とに区分され、
前記吸収性コアに、該吸収性コアを厚み方向に貫通する非積繊部が形成されており、該非積繊部は、前記股下部を縦方向に二等分した場合の前記腹側部寄りの領域に、縦方向前端を有し、該縦方向前端から前記縦方向に延びており、
前記非積繊部において前記肌側コアラップシートと前記非肌側コアラップシートとが接合しており、
前記吸収体における前記非積繊部の横方向周辺部に、前記肌側コアラップシート又は前記非肌側コアラップシートと前記吸収性コアとが一体的に圧密されてなる窪み部が形成されている吸収性物品。
【００４７】
＜２＞
前記非積繊部の横方向の長さは、前記吸収性コアの横方向の長さの最小値の１５％以上５０％以下である前記＜１＞に記載の吸収性物品。
＜３＞
前記非積繊部の横方向の長さは、前記吸収性コアの横方向長さの最小値に対して、好ましくは１５％以上、さらに好ましくは２０％以上、そして、好ましくは５０％以下、さらに好ましくは３５％以下である前記＜１＞又は＜２＞に記載の吸収性物品。
＜４＞
前記非積繊部の横方向の長さは、好ましくは５ｍｍ以上、さらに好ましくは１０ｍｍ以上、そして、好ましくは４０ｍｍ以下、さらに好ましくは３０ｍｍ以下である前記＜１＞〜＜３＞の何れか一項に記載の吸収性物品。
【００４８】
＜５＞
前記非積繊部において前記表面シートと前記肌側コアラップシートとが接合しており、該非積繊部における該肌側コアラップシートと前記非肌側コアラップシートとの接合力は、該非積繊部における前記表面シートと該肌側コアラップシートとの接合力よりも大きい前記＜１＞〜＜４＞の何れか一項に記載の吸収性物品。
＜６＞
前記非積繊部における前記表面シートと前記肌側コアラップシートとの接合力Ｈ１と、該非積繊部における該肌側コアラップシートと前記非肌側コアラップシートとの接合力Ｈ２との比である、接合力Ｈ１／接合力Ｈ２は、好ましくは１．１以上、さらに好ましくは１．５以上、そして、好ましくは５．０以下、さらに好ましくは３．０以下である前記＜５＞に記載の吸収性物品。
＜７＞
前記非積繊部における前記表面シートと前記肌側コアラップシートとの接合力Ｈ１は、好ましくは０．２Ｎ以上、さらに好ましくは１．０Ｎ以上、そして、好ましくは４．５Ｎ以下、さらに好ましくは３．５Ｎ以下である前記＜５＞又は＜６＞に記載の吸収性物品。
＜８＞
前記非積繊部における前記肌側コアラップシートと前記非肌側コアラップシートとの接合力Ｈ２は、好ましくは０．５Ｎ以上、さらに好ましくは１．５Ｎ以上、そして、好ましくは５．０Ｎ以下、さらに好ましくは４．０Ｎ以下である前記＜５＞〜＜７＞の何れか一項に記載の吸収性物品。
【００４９】
＜９＞
前記非積繊部の横方向の長さは、肌対向面側の方が非肌対向面側よりも長い前記＜１＞〜＜３＞の何れか一項に記載の吸収性物品。
＜１０＞
前記吸収体の肌対向面側における前記非積繊部の横方向の長さ（前記非積繊部における該吸収体の肌対向面側の開口端部の幅）Ｗ１と、該吸収体の非肌対向面側における該非積繊部の横方向の長さ（該非積繊部における該吸収体の非肌対向面側の開口端部の幅）Ｗ２との比である、長さＷ１／長さＷ２は、好ましくは１．１以上、さらに好ましくは１．３以上、そして、好ましくは２．０以下、さらに好ましくは１．５以下である前記＜９＞に記載の吸収性物品。
＜１１＞
前記吸収体の肌対向面側における前記非積繊部の横方向の長さＷ１は、好ましくは７ｍｍ以上、さらに好ましくは１２ｍｍ以上、そして、好ましくは４０ｍｍ以下、さらに好ましくは３０ｍｍ以下である前記＜９＞又は＜１０＞に記載の吸収性物品。
＜１２＞
前記吸収体の非肌対向面側における前記非積繊部の横方向の長さＷ２は、好ましくは５ｍｍ以上、さらに好ましくは１０ｍｍ以上、そして、好ましくは３５ｍｍ以下、さらに好ましくは２５ｍｍ以下である前記＜９＞〜＜１１＞の何れか一項に記載の吸収性物品。
【００５０】
＜１３＞
前記非積繊部における前記肌側コアラップシートと前記非肌側コアラップシートとの接合部は、前記吸収体の厚み方向の中央部に位置し、両シートはそれぞれ該非積繊部の形成位置にて凹状に窪んでいる前記＜１＞〜＜１２＞の何れか一項に記載の吸収性物品。
＜１４＞
前記肌側コアラップシート及び前記非肌側コアラップシートの両方に前記窪み部が形成され、両シートにおける該窪み部の形成パターンが同じである前記＜１＞〜＜１３＞の何れか一項に記載の吸収性物品。
＜１５＞
前記窪み部は平面視において点状をなし、前記非積繊部の縦方向に沿う両側縁の周辺部に複数が離散的なパターンで形成されている前記＜１＞〜＜１４＞の何れか一項に記載の吸収性物品。
＜１６＞
前記窪み部は前記非積繊部の縦方向の周辺部には形成されていない前記＜１＞〜＜１５＞の何れか一項に記載の吸収性物品。
【００５１】
＜１７＞
前記肌側コアラップシート及び前記非肌側コアラップシートは不織布である前記＜１＞〜＜１６＞の何れか一項に記載の吸収性物品。
＜１８＞
前記吸収性物品は、前記股下部を含む縦方向中央部における、縦方向に沿う両側縁が内向きの円弧状に湾曲しており、平面視において、縦方向中央部が内方に括れた砂時計状をなしている前記＜１＞〜＜１７＞の何れか一項に記載の吸収性物品。
＜１９＞
前記吸収性コアの無荷重下における厚みは、好ましくは２．０ｍｍ以上、さらに好ましくは３．０ｍｍ以上、そして、好ましくは１５ｍｍ以下、さらに好ましくは１０ｍｍ以下である前記＜１＞〜＜１８＞の何れか一項に記載の吸収性物品。
＜２０＞
前記吸収性コアの坪量は、好ましくは１００ｇ／ｍ2以上、さらに好ましくは３００ｇ／ｍ2以上、そして、好ましくは１０００ｇ／ｍ2以下、さらに好ましくは６００ｇ／ｍ2以下である前記＜１＞〜＜１９＞の何れか一項に記載の吸収性物品。
＜２１＞
前記肌側コアラップシートと前記非肌側コアラップシート４２とは、１枚の連続したシートである前記＜１＞〜＜２０＞の何れか一項に記載の吸収性物品。
＜２２＞
前記非積繊部は、平面視において矩形形状をなし、その長手方向を縦方向に一致させて前記吸収体の横方向の中央に１本形成されている前記＜１＞〜＜２１＞の何れか一項に記載の吸収性物品。
＜２３＞
前記吸収性コアの肌対向面において、前記非積繊部の横方向の長さはその縦方向の全長に亘って一定であり、該吸収性コアの非肌対向面においても、該非積繊部の横方向の長さはその縦方向の全長に亘って一定である前記＜１＞〜＜２２＞の何れか一項に記載の吸収性物品。
【実施例】
【００５２】
以下、本発明を実施例により更に具体的に説明するが、本発明は斯かる実施例に限定されるものではない。
【００５３】
〔実施例１〕
図１及び図２に示すおむつ１と同様の基本構成を有する展開型の使い捨ておむつを常法に従って作製した。表面シートとしては、坪量３０ｇ／ｍ2のエアスルー不織布を用いた。裏面シートとしては、坪量１８ｇ／ｍ2の液不透過性且つ透湿性のポリエチレン製樹脂フィルム（炭酸カルシウム配合）を用いた。コアラップシートとしては、坪量１０ｇ／ｍ2の１枚のＳＭＳ（スパンボンド・メルトブロー・スパンボンド）不織布を用い、これで吸収性コアの肌対向面及び非肌対向面を被覆して、肌側コアラップシート及び非肌側コアラップシートとした。
吸収性コアとしては、図３に示す吸収性コア４０と同じものを常法に従って製造し、非積繊部は、前述したように吸収性コアの形成材料の堆積を意図的に阻害して形成した。実施例１で用いた吸収性コアは、繊維集合体に粒子状の吸水性ポリマー（ＳＡＰ）を保持させた単層構造のもので、フラッフパルプ２００ｇ／ｍ2と吸水性ポリマー２８５ｇ／ｍ2との均一混合物からなる総坪量４８５ｇ／ｍ2の吸収性コアである。実施例１で用いた吸収性コアの寸法は、縦方向長さが３７０ｍｍ、最小幅が７５ｍｍ、厚みが３．９ｍｍであった。また、用いた吸収性コアの非積繊部は、縦方向長さが１０５ｍｍ、幅が１４ｍｍであった。
吸収性コアをコアラップシートで被覆して吸収体とした後、該吸収体における非積繊部を肌対向面及び非肌対向面の両面から加熱加圧することにより、非積繊部にて肌側コアラップシートと非肌側コアラップシートとを接合した。この非積繊部における両コアラップシートの接合部は、予め塗布した接着剤と両コアラップシートの熱融着とによって形成されている。また、吸収体における非積繊部の両側縁それぞれから１０ｍｍ以内の領域に対し、肌側コアラップシート側及び非肌側コアラップシート側それぞれからエンボス加工を施して、図３に示す如き散点的なパターンで複数の円形状の窪み部を形成した。
【００５４】
〔比較例１〕
吸収性コアに非積繊部を形成しなかった以外は実施例１と同様にして展開型の使い捨ておむつを作製した。
【００５５】
〔比較例２〕
吸収性コアにおける非積繊部の位置を変更した以外は実施例１と同様にして展開型の使い捨ておむつを作製した。比較例２で用いた吸収性コアにおける非積繊部は、図３を参照して、吸収体腹側部４Ｆにおける吸収体股下部４Ｍ寄りの領域４−２に縦方向前端（腹側ウエスト部寄り端部）を有し、そこから吸収体背側部４Ｒに向かって縦方向Ｘに延び、図３に示す吸収体４と同様に、吸収体背側部４Ｒにおける吸収体股下部４Ｍ寄りの領域４−５に縦方向後端（背側ウエスト部寄り端部）を有している。
【００５６】
〔評価〕
実施例及び比較例の使い捨ておむつについて、下記方法により吸収体破壊動作回数を評価した。その結果を下記表１に示す。
【００５７】
＜吸収体破壊動作回数の測定方法＞
評価対象のおむつを、肌対向面、即ち表面シートを内側にして縦方向に２つ折りし、人工尿の注入予定部である吸収体の中心部の両脇を手指で把持して上下方向に交互に動かす。この上下動作を５０回繰り返した後、おむつの各部を伸長させて図１に示す如く平面状に拡げ、表面シートを上に向けて水平面上に固定した状態で、吸収体の中心部における該表面シート上に人工尿４０ｇを注入して吸収させ、その後、自然状態で３分間放置した。次いで、おむつに対し、人工尿の注入前に行った前記上下動作を再び行う。この上下動作は、おむつ着用中の着用者の脚の動きを想定したものである。この上下動作を吸収体が壊れるまで繰り返し、吸収体が壊れるのに要した上下動作の回数を、吸収体破壊動作回数とする。吸収体の一部でも崩れた場合は、「吸収体が壊れた」と判断する。吸収体破壊動作回数が多いほど、吸収体の保形性に優れ、着用中に吸収体が壊れにくいと判断でき高評価となる。
【００５８】
前記測定方法で用いた人工尿の組成は次の通り。尿素１．９４質量％、塩化ナトリウム０．７９５４質量％、硫酸マグネシウム（七水和物）０．１１０５８質量％、塩化カルシウム（二水和物）０．０６２０８質量％、硫酸カリウム０．１９７８８質量％、ポリオキシエチレンラウリルエーテル０．００３５質量％及びイオン交換水（残量）。
【００５９】
【表１】
0006396755.tif 000002
【符号の説明】
【００６０】
１，１Ａ  使い捨ておむつ（吸収性物品）
１Ｆ  吸収性物品の腹側部
１Ｍ  吸収性物品の股下部
１Ｒ  吸収性物品の背側部
２  表面シート
３  裏面シート
４  吸収体
４Ｆ  吸収体腹側部
４Ｍ  吸収体股下部
４Ｒ  吸収体背側部
４０  吸収性コア
４１  肌側コアラップシート
４２  非肌側コアラップシート
５  非積繊部
５ｆ  非積繊部の縦方向前端（腹側ウエスト部寄り端部）
６  窪み部
６０  エンボス領域
Ｘ  縦方向
Ｙ  横方向
【図１】
0006396755.tif 000003
【図２】
0006396755.tif 000004
【図３】
0006396755.tif 000005
【図４】
0006396755.tif 000006